(57)【要約】【課題】画像表示用の表示パネルを取付け部材から容易に取外すことができ、該表示パネルの点検、修理等の作業の利便性を向上することが可能な画像表示装置及びテレビジョン受像機を提供する。【解決手段】画像表示用の表示パネル１と、底面２１に弾性変形可能な係合突起３を突設してある前キャビネット２とを備え、表示パネル１を、係合突起３の先端の係合爪３１と前キャビネット２の底面２１との間に挾持して取付けてある構成において、係合爪３１の先端部を切欠いて仮止め部３２を形成し、係合爪３１の係合を解除した表示パネル１を、周縁部に仮止め部３２を係合させることにより、前キャビネット２の底面２１から離れた位置で仮止めできるように構成する。【選択図】図３
2013083835.tif 000002
【特許請求の範囲】
【請求項１】
画像表示用の表示パネルと、該表示パネルの取付け面に弾性変形可能な複数の係合突起を突設してある取付け部材とを備え、前記表示パネルを、周縁の複数箇所に係合する前記係合突起の先端の係合爪と前記取付け面との間に挾持して取付けてある画像表示装置において、
前記係合突起の一部に設けてあり、前記係合爪と異なる位置で前記表示パネルに作用して、該表示パネルを前記取付け面から離れた位置で仮止めする仮止め部を備えることを特徴とする画像表示装置。
【請求項２】
前記仮止め部は、前記係合爪の先端部を切欠いて形成され、前記表示パネルの周縁に係合する切欠き部である請求項１に記載の画像表示装置。
【請求項３】
前記仮止め部は、前記係合爪の先端の平坦部に形成され、前記表示パネルの側面の一部に係合する凹凸部であることを特徴とする請求項１に記載の画像表示装置。
【請求項４】
前記表示パネルは、周縁に外向きに突設されて前記係合爪と係合する鍔部を有し、前記仮止め部は、前記鍔部から外れた前記係合爪の先端の平坦部を前記表示パネルの側面に弾接させて仮止め状態を得るように構成してあることを特徴とする請求項１に記載の画像表示装置。
【請求項５】
請求項１から請求項４のいずれか１つに記載の画像表示装置を受信画像の表示部として備えることを特徴とするテレビジョン受像機。
【発明の詳細な説明】
【技術分野】
【０００１】
本発明は、液晶パネル等の表示パネルを画像表示部として備える画像表示装置、及びテレビジョン受像機に関する。
【背景技術】
【０００２】
液晶パネルを画像表示部として備える液晶表示装置は、薄形で軽量である上、消費電力が小さいことから、近年、テレビジョン受像機、コンピュータ及び携帯端末用の画像表示装置として広く採用されている。
【０００３】
液晶パネルは、駆動素子アレーを備えるアレー基板と、カラーフィルタをパターン形成してなるカラーフィルタ基板（ＣＦ基板）との間に液晶を封入してパネル原板を構成し、該パネル原板の両面に、偏光板（上側偏光板及び下側偏光板）を積層し、更に、必要に応じて、視野拡大シート、反射防止シート等の光学シートを被着して構成されている。
【０００４】
液晶表示装置は、以上の如き液晶パネルを、一面（表示面）を外部に露出させて外筐に取付けてなり、該外筐内に設けたバックライトの発光を液晶パネル中の液晶により偏光することで画像を表示する。外筐は、液晶パネルが取付けられた前キャビネットと、バックライトが設けられた後キャビネットとを結合してなり、バックライトの発光が液晶パネルの他面（非表示面）照射されるように構成されている。
【０００５】
前キャビネットは、液晶パネルの受容が可能なサイズを有する浅底皿形の取付け部材であり、底面には、大面積の窓穴が開設されている。液晶パネルは、周縁部に引き出されたソースライン及びゲートラインにドライバを接続し、該周縁部をベゼルにより覆ってなる液晶モジュールとし、前記窓穴から表示面を露出させるように前キャビネットに取付けてある。この取付けは、各種の電気機器において部品の取付けに採用されている係合突起によりなされている（例えば、特許文献１参照）。
【０００６】
係合突起は、前記窓穴の周縁部の複数箇所に前キャビネットの底面から垂直に立ち上がるように設けられた柱状の弾性片と、該弾性片の先端部に前記窓穴の内側に向けて突設された係合爪とを備えている。液晶パネル（液晶モジュール）は、複数の係合突起の夫々に周縁部を合わせ、前キャビネットの底面に向けて押し込む手順により取付けられる。係合突起は、液晶パネルの押し込み中には外向きに撓み変形し、液晶パネルが前キャビネットの底面に達した押し込み完了時に弾性復帰する。液晶パネルは、各係合突起の先端の係合爪の係合により、夫々の係合爪と前キャビネットの底面とにより周縁部の複数箇所を挾持される態様で固定される。このような取付けは、プラズマディスプレイパネル、有機ＥＬパネル等、液晶パネル以外の表示パネルを備える画像表示装置においても同様に採用されている。
【先行技術文献】
【特許文献】
【０００７】
【特許文献１】特開平１０−１１６９４６号公報
【発明の概要】
【発明が解決しようとする課題】
【０００８】
以上の如く取り付けられた表示パネルは、例えば、点検、修理等を目的とし、取付け時と逆の手順、即ち、係合突起先端の係合爪の係合を解除し、液晶パネルを引き出す手順により取外すことが可能である。
【０００９】
ところが、画像表示装置の表示パネル、特に、テレビジョン受像機に使用される表示パネルは、近年における大型化が顕著であり、この種の大型の表示パネルにおいては、周縁に係合する係合突起の数が多く、また夫々の係合位置が相互に離れており、夫々の係合を同時に解除することは難しく、表示パネルの取外しに際しては、複数の係合突起の係合を順番に解除する必要がある。一方、係合突起を備える前キャビネットは、金属又は樹脂製の薄肉の部材であり、自身が弾性を有している。
【００１０】
前述した表示パネルの取外し作業において、一部の係合突起の係合を解除したとき、前キャビネットは、残りの係合突起を支えとして撓み変形した状態となり、この状態で次の係合突起の係合を解除しようとしたとき、前キャビネットの弾性復帰により先に外した係合突起が係合状態に戻る虞れがあり、全ての係合突起の係合を解除して表示パネルの取外しを完了するまでに多大の手間を要するという問題があった。
【００１１】
本発明は斯かる事情に鑑みてなされたものであり、画像表示用の表示パネルを取付け部材から容易に取外すことができ、該表示パネルの点検、修理等の作業の利便性を向上することが可能な画像表示装置及びテレビジョン受像機を提供することを目的とする。
【課題を解決するための手段】
【００１２】
本発明に係る画像表示装置は、画像表示用の表示パネルと、該表示パネルの取付け面に弾性変形可能な複数の係合突起を突設してある取付け部材とを備え、前記表示パネルを、周縁の複数箇所に係合する前記係合突起の先端の係合爪と前記取付け面との間に挾持して取付けてある画像表示装置において、前記係合突起の一部に設けてあり、前記係合爪と異なる位置で前記表示パネルに作用して、該表示パネルを前記取付け面から離れた位置で仮止めする仮止め部を備えることを特徴とする。
【００１３】
本発明においては、複数の係合突起の係合爪の係合を解除した表示パネルを、各係合突起に設けた仮止め部の作用により仮止め状態としておき、次いで、各係合突起による仮止めを順次解除する手順で表示パネルを取り外す。このとき、係合状態から仮止め状態への移行は、複数の係合突起の夫々について、他の係合突起の係合又は仮止め状態に影響を与えずに容易に実施することができる。また仮止め状態となった表示パネルは、取付け部材の取付け面から離れて位置し、該取付け面との間に挾持されていないから、各係合突起の仮止め解除も、取付け部材の撓み変形を軽微に抑えて容易に実施することができ、表示パネルは、取付け部材から容易に取外すことができる。
【００１４】
また本発明に係る画像表示装置は、前記仮止め部が、前記係合爪の先端部を切欠いて形成され、前記表示パネルの周縁に係合する切欠き部であることを特徴とする。
【００１５】
この発明においては、係合爪の先端を切欠いて仮止め部を構成し、該仮止め部を表示パネルの周縁に係合させることにより仮止め状態を簡易に実現する。
【００１６】
また本発明に係る画像表示装置は、前記仮止め部が、前記係合爪の先端の平坦部に形成され、前記表示パネルの側面の一部に係合する凹凸部であることを特徴とする。
【００１７】
この発明においては、係合爪の先端を平坦とし、この平坦部に凹凸部を設けて仮止め部を構成してあり、該仮止め部を表示パネルの側面に係合させることにより、仮止め状態を簡易な構成で確実に実現する。表示パネルの側面には、前記凹凸部に対応する凹凸を設けることにより、仮止め状態をより確実に実現することができる。
【００１８】
また本発明に係る画像表示装置は、前記表示パネルが、周縁に外向きに突設されて前記係合爪と係合する鍔部を有し、前記仮止め部が、前記鍔部から外れた前記係合爪の先端の平坦部を前記表示パネルの側面に弾接させて仮止め状態を得るように構成してあることを特徴とする。
【００１９】
この発明においては、表示パネルの周縁に設けた鍔部に係合突起の係合爪を係合させて係合状態を得る一方、鍔部から外した係合爪先端の平坦部を表示パネルの側面に弾接させて、該弾接部での摩擦により仮止め状態を実現する。仮止め状態となった係合突起は、鍔部を超える変形が生じない限り係合状態に復帰せず、表示パネルの周縁に位置する複数の係合突起を、他の係合突起の係合又は仮止め状態に影響を与えずに仮止め状態に移行させることができ、更に仮止め状態を解除して、表示パネルを容易に取外すことができる。
【００２０】
また本発明に係るテレビジョン受像機は、受信画像の表示部として以上の如き画像表示装置を備えることを特徴とする。
【００２１】
この発明においては、表示パネルの取外しが容易な画像表示装置を受信画像の表示部として備えており、点検、修理等のメインテナンス作業の利便性が向上する。
【発明の効果】
【００２２】
本発明に係る画像表示装置及びテレビジョン受像機においては、表示パネルの周縁部に係合する複数の係合突起に仮止め部が設けてあり、この仮止め部を利用した仮止め状態を経ることにより表示パネルの取外しを容易に実施することができ、点検、修理等のメインテナンス作業の利便性が向上する等、本発明は優れた効果を奏する。
【図面の簡単な説明】
【００２３】
【図１】実施の形態に係る画像表示装置の表示パネルを取付けた状態を略示する斜視図である。
【図２】実施の形態に係る画像表示装置の表示パネルの取付け前の状態を略示する斜視図である。
【図３】係合突起の係合状態を示す拡大断面図である。
【図４】係合突起の係合解除手順の説明図である。
【図５】係合突起の係合解除手順の説明図である。
【図６】他の実施の形態の係合突起の係合状態を示す拡大断面図である。
【図７】図６の係合突起の仮の係合状態を示す拡大断面図である。
【図８】他の実施の形態の係合突起の係合状態を示す拡大断面図である。
【図９】図８の係合突起の仮の係合状態を示す拡大断面図である。
【図１０】他の実施の形態の係合突起の係合状態を示す拡大断面図である。
【図１１】図１０の係合突起の仮の係合状態を示す拡大断面図である。
【図１２】本発明のテレビジョン受像機の分解斜視図である。
【発明を実施するための形態】
【００２４】
以下本発明をその実施の形態を示す図面に基づいて詳述する。図１は、実施の形態に係る画像表示装置の表示パネルを取付けた状態を略示する斜視図、図２は、実施の形態に係る画像表示装置の表示パネルの取付け前の状態を略示する斜視図である。
【００２５】
図示の画像表示装置は、画像表示のための表示パネルとして液晶パネル１を備える液晶表示装置であるが、以下に示す構成は、プラズマディスプレイパネル、有機ＥＬパネル等の他の表示パネルを備える画像表示装置においても適用可能である。
【００２６】
液晶パネル１は、前述したように、アレー基板とＣＦ基板との間に液晶を封入してなるパネル原板の両面に偏光板を積層し、更に、視野拡大シート、反射防止シート等の光学シートを被着して構成されている。このような液晶パネル１は、液晶駆動用のドライバを周縁部に実装し、該周縁部をベゼルにより覆って液晶モジュールを構成し、この状態で前キャビネット２に取付けてある。図１、２中には、以上の如き液晶パネル１（液晶モジュール）を、外形に対応する矩形板として略示してある。
【００２７】
前キャビネット２は、液晶パネル１よりも大きく、該液晶パネル１の受け入れが可能な平面サイズを有する浅底皿形の取付け部材であり、該前キャビネット２の底面２１（取付け面）には、図２に示すように、四辺の夫々を所定幅余して矩形に開口する窓穴２０が形成してある。この窓穴２０は、液晶パネル１の一面（表示面）の略全面を外部に露出させ、該一面に表示される画像を外部から視認可能とするために設けてある。
【００２８】
また前キャビネット２の底面２１には、窓穴２０の周縁部の複数箇所に係合突起３，３…が突設してあり、前述した液晶パネル１は、これらの係合突起３，３…により前キャビネット２に取付けてある。図１、図２に示す係合突起３、３…は、窓穴２０の２長辺に沿って各５個が等配され、同じく２短辺に沿って各３個が等配されているが、係合突起３，３…の数は、取付け対象となる液晶パネル１の大きさに応じて適宜に設定すればよく、また、各辺上の係合突起３，３…は、非等配であってもよい。
【００２９】
液晶パネル１は、図２に示すように、前記表示面を前キャビネット２の底面２１に対向させた状態とし、図２中に矢符により示すように前キャビネット２に近付け、係合突起３，３…の配設周上に周縁部を付き当てるように位置合わせし、この状態で前キャビネット２内に押し込むことにより、図１に示すように、周縁の対応箇所に各係合突起３が係合して取付けられる。
【００３０】
図３は、係合突起３の係合状態を示す拡大断面図である。図示のように係合突起３は、窓穴２０を縁取る前キャビネット２の底面２１から垂直に立ち上がる柱状（又は板状）の弾性片３０と、該弾性片３０の先端部に窓穴２０の内側に向けて突設された係合爪３１とを備えている。
【００３１】
係合爪３１は、液晶パネル１の厚さに対応する高さ位置に、弾性片３０に対して略直角をなして延びており、該係合爪３１の先端部には、仮止め部３２が設けられている。仮止め部３２は、係合爪３１の先端部を適長に亘って切欠いてなり、係合爪３１の係合面（前キャビネット２の底面２１との対向面）と略平行な係止面を備える切欠き部として形成されている。
【００３２】
弾性片３０は、液晶パネル１の前述した押し込みを、基端に設けた薄肉部３３の作用により外向きに弾性的に撓み変形することで許容し、液晶パネル１の一面が前キャビネット２の底面２１に達した押し込み完了時に弾性復帰する。この弾性復帰により係合爪３１は、液晶パネル１の他面上に突出し、液晶パネル１は、図３に示すように、係合爪３１の係合面と前キャビネッ２の底面２１との間に挾持される。
【００３３】
この挾持は、前キャビネット２に複数設けられた係合突起３，３…の夫々により同様になされ、液晶パネル１は、各係合突起３，３…の係合により、図１に示すように、周縁部の複数箇所を前キャビネット２の底面２１との間に挾持され、表示面の略全面を窓穴２０から露出させた態様で取付けられる。
【００３４】
以上の如く取付けられた液晶パネル１は、周縁に係合する複数の係合突起３．３…の係合を順次解除し、前キャビネット２から引き出す手順により取外すことができる。図４、図５は、係合突起３の係合解除手順の説明図である。
【００３５】
係合突起３の係合は、該係合突起３の先端部に、図３中に白抜矢符により示すように外向きの力を加え、弾性片３０を弾性変形させて、係合爪３１を液晶パネル１の上部から外すことにより解除される。ここで係合突起３は、前述したように係合爪３１の先端部を切欠いて形成された仮止め部３２を備えており、係合突起３の係合解除に際し、図４に示すように、液晶パネル１の周縁上部に仮止め部３２が係合した仮止め状態とすることができる。
【００３６】
液晶パネル１の取外しは、複数の係合突起３，３…の夫々を順次仮止め状態とし、その後に各係合突起３の弾性片３０を更に弾性変形させて、仮止め部３２の係合を解除する２段階の作業でなされる。仮止め部３２の係合による仮止め状態は、弾性片３０を大きく撓み変形させずに実現される。
【００３７】
また各係合突起３を仮止め状態とするとき、他の係合突起３は、一部又は全部が液晶パネル１の挾持状態を保っており、前キャビネット２は、挾持状態にある係合突起３，３…を支えとして撓み変形する。しかしながら、仮止め部３２の係合位置は、係合爪３１の係合位置に近く、前キャビネット２の変形量は小さい。従って、各係合突起３を仮止め状態に移行する際、前キャビネット２の弾性復帰により他の係合突起３が係合状態に戻る虞れは小さく、全ての係合突起３，３…は、他の影響を受けすに順次仮止め状態に移行させることができる。
【００３８】
係合突起３の係合解除は、図４中に白抜矢符により示すように、仮止め状態とした係合突起３の先端部に更に外向きの力を加えて実現される。このとき液晶パネル１は、図４に示すように、前キャビネット２の底面２１から離れ、該底面２１との間での挾持が解除された状態にあり、仮止め状態から係合解除状態への移行に際しても、前キャビネット２の弾性復帰により他の係合突起３が係合状態に戻る虞れは小さく、全ての係合突起３，３…は、他の影響を受けずに順次係合解除状態に移行させることができる。
【００３９】
以上のように液晶パネル１は、係合突起３，３…が備える仮止め部３２を利用した仮止め状態を経ることにより、前キャビネット２の撓みの影響を受けずに容易に取外すことができる。この効果は、液晶パネル１のサイズが大きく、周縁部に係合する係合突起３，３…の数が多く、また夫々の係合位置が相互に離れている場合に顕著であり、例えば、点検、修理等を目的とした液晶パネル１の取外しを、多大の手間を要さずに容易に実施することが可能となる。
【００４０】
仮止め部３２を備える係合突起３は、以上の実施の形態に示す構成に限らず、他の構成とすることができる。図６は、他の実施の形態の係合突起の係合状態を示す拡大断面図、図７は、図６の係合突起の仮止め状態を示す拡大断面図である。
【００４１】
図６、図７に示す係合突起３は、図３〜図５に示す係合突起３と同様、前キャビネット２の底面２１から垂直に立ち上がる弾性片３０と、該弾性片３０の先端部に窓穴２０の内側に向けて突設された係合爪３１とを備え、係合爪３１の先端部には、仮止め部３２が設けられている。この仮止め部３２は、係合爪３１の先端に設けた平坦部に鋸歯状をなす複数の突起を備えて構成されている。
【００４２】
このような係合突起３は、図６に示すように、係合爪３１と前キャビネット２との間に液晶パネル１を挾持する。また液晶パネル１の取外しに際しては、図７に示すように、係合爪３１に設けられた仮止め部３２が液晶パネル１（ベゼル）の側面に係合することにより仮止め状態を実現する。液晶パネル１の側面には、図示のように、仮止め部３２を形成する鋸歯状の突起と係合可能な鋸歯状の突起１０を設け、この突起１０に仮止め部３２を係合させることにより、一層確実な仮止め状態を得ることができる。
【００４３】
図８は、更に他の実施の形態の係合突起の係合状態を示す拡大断面図、図９は、図８の係合突起の仮止め状態を示す拡大断面図である。図８、図９に示す係合突起３は、図３〜図５に示す係合突起３と同様、前キャビネット２の底面２１から垂直に立ち上がる弾性片３０と、該弾性片３０の先端部に窓穴２０の内側に向けて突設された係合爪３１とを備えている。係合爪３１の先端部には、係合爪３１の先端に設けた平坦部に半円形の凹溝を形成してなる仮止め部３２が設けられている。
【００４４】
このような係合突起３は、図８に示すように、係合爪３１と前キャビネット２との間に液晶パネル１を挾持する。また液晶パネル１の取外しに際しては、図９に示すように、係合爪３１に設けた仮止め部３２が液晶パネル１（ベゼル）の側面に設けた半円形断面の突条１１に係合することにより仮止め状態を実現する。
【００４５】
図１０は、更に他の実施の形態の係合突起の係合状態を示す拡大断面図、図１１は、図１０の係合突起の仮止め状態を示す拡大断面図である。図１０、図１１に示す係合突起３は、図３〜図５に示す係合突起３と同様、前キャビネット２の底面２１から垂直に立ち上がる弾性片３０と、該弾性片３０の先端部に窓穴２０の内側に向けて突設された係合爪３１とを備えている。係合爪３１の先端部は、全面に亘って平坦化されており、この平坦部が仮止め部３２を構成する。
【００４６】
液晶パネル１の周縁には、外向きに突出する鍔部１２が設けてあり、係合突起３が備える係合爪３１は、図１０に示すように、鍔部１２に係合して前キャビネット２との間に液晶パネル１を挾持するように構成してある。液晶パネル１の取外しは、係合突起３に外向きの力を加えて係合爪３１の係合を解除し、液晶パネル１を引き上げることで行う。
【００４７】
係合突起３は、鍔部１２を係合爪３１が超えた位置で弾性片３０の弾性により内向きに弾性復帰し、図１１に示すように、係合爪３１の先端を平坦化して設けた仮止め部３２が液晶パネル１（ベゼル）の側面に弾接した状態となり、液晶パネル１は、弾接部の摩擦により仮止めされる。
【００４８】
このように得られる仮止め状態は、例えば、ゴム等の高摩擦係数を有する材料を仮止め部３２に被着し、液晶パネル１との間の摩擦抵抗を大とすることにより強化することができる。また仮止め状態となった係合突起３は、係合爪３１が鍔部１２の突出長さを超える位置に変位しない限り係合状態に復帰しない。従って、液晶パネル１の周縁に位置する複数の係合突起３を順次仮止め状態に移行させるに際し、先に移行した係合突起３が係合状態に復帰する虞れが小さく、大サイズの液晶パネル１であっても、取外しの過程における仮止め状態を、容易に、しかも確実に実現することができる。
【００４９】
図６〜図１１に示す実施の形態においても、仮止め部３２を利用した仮止め状態を経ることにより、例えば、点検、修理等を目的とした液晶パネル１の取外しを、多大の手間を要さずに確実に実施することが可能となる。
【００５０】
図１２は、本発明に係るテレビジョン受像機の分解斜視図である。本図に示すように、テレビジョン受像機は、液晶パネル１を前述の如く取り付けてある前キャビネット２に後キャビネット４を組付け、後キャビネット４の内部に、電源基板４０、チューナ基板４１等の回路基板、及びスピーカユニット等の周辺機器ユニット（図示を省略する）を取付け、更に、後キャビネット４の下外部に支持脚５を取付けて構成されている。
【００５１】
このように構成されたテレビジョン受像機は、支持脚５を介して、支持台上、床面上に支持し、前キャビネット２の窓穴２０から露出する液晶パネル１の表示面の表示画像を視認すべく使用される。また、点検、修理が必要な場合には、後キャビネット４と前キャビネット２とを分離し、後キャビネット４内の機器に対する処理が可能であることは勿論、分離された前キャビネット２から液晶パネル１を容易に取り外し、該液晶パネル１に対する種々の処理にも対応することが可能であり、点検、修理の利便性が向上するという効果が得られる。
【符号の説明】
【００５２】
１    液晶パネル（表示パネル）
２    前キャビネット（取付け部材）
３    係合突起
２１  底面（取付け面）
３１  係合爪
３２  仮止め部
【図１】
2013083835.tif 000003
【図２】
2013083835.tif 000004
【図３】
2013083835.tif 000005
【図４】
2013083835.tif 000006
【図５】
2013083835.tif 000007
【図６】
2013083835.tif 000008
【図７】
2013083835.tif 000009
【図８】
2013083835.tif 000010
【図９】
2013083835.tif 000011
【図１０】
2013083835.tif 000012
【図１１】
2013083835.tif 000013
【図１２】
2013083835.tif 000014